(57)【要約】【課題】パネルの清掃作業が歩道側から容易に行なえるトンネル用間仕切壁を提供する。【解決手段】間仕切壁の他の部分から分離して歩道側に移動可能であって透明部を有する可動パネルを備えた。【選択図】      図２
2006089926.tif 000002
【特許請求の範囲】
【請求項１】
トンネル内の車道空間と歩道空間とを仕切る間仕切壁であって、間仕切壁の他の部分から分離して歩道側に移動可能であって透明部を有する可動パネルを備えていることを特徴とするトンネル用間仕切壁。
【請求項２】
前記可動パネルは、その一辺が回動自在に支承されて歩道側に移動可能となされたことを特徴とする請求項1に記載のトンネル用間仕切壁。
【請求項３】
前記可動パネルは、その下辺が回動自在に支承されて歩道側に傾倒可能となされたことを特徴とする請求項２に記載のトンネル用間仕切壁。
【請求項４】
前記可動パネルの回動を所定の角度位置で規制するとともにその角度位置で可動パネルを固定する固定具を設けたことを特徴とする請求項３に記載のトンネル用間仕切壁。
【請求項５】
所定の間隔を設けて立設された支柱間に複数のパネルが複数段に積み重ねて支持され、その複数のパネルの少なくとも一つが前記可動パネルであることを特徴とする請求項１乃至請求項４に記載のトンネル用間仕切壁。
【請求項６】
前記支柱の先端部がトンネルの内壁に取付手段により取付けられ、前記取付手段は、取付位置をトンネルの内壁に対して支柱の長手方向に変更可能に構成されていることを特徴とする請求項１に記載のトンネル用間仕切壁。
【請求項７】
間仕切壁の上端とトンネルの内壁との間の隙間を目かくしする目かくし部材を設けたことを特徴とする請求項１に記載のトンネル用間仕切壁。
【請求項８】
光を再帰反射する視線誘導用反射体を、前記可動パネルの車道側の表面に設けたことを特徴とする請求項１に記載のトンネル用間仕切壁。
【請求項９】
前記可動パネルは、その下辺が回動自在に支承されて歩道側に傾倒可能であり、視線誘導用反射体は、可動パネルの下部に設けられ、かつ、可動パネルの下辺から下方に延びる下方延長部を有していることを特徴とする請求項８に記載のトンネル用間仕切壁。
【発明の詳細な説明】
【技術分野】
【０００１】
本発明は、自動車道路のトンネル内において、歩行者が歩行する歩道空間と車両が走行する車道空間とを仕切るために設置されるトンネル用間仕切壁に関する。
【背景技術】
【０００２】
一般に、自動車道路のトンネルには、その一方の側面に沿って歩行者が歩行する歩道が設けられており、この歩道と車両が走行する車道との間には間仕切壁が設置されることがある。この間仕切壁は、トンネル内の歩道を車両の排気ガスから遮断する等の目的で設置されている。この間仕切壁は、道路に沿って所定の間隔で支柱を立設し、この支柱の間に複数のパネルを上下方向に複数段に積み重ねて支持することにより構成されている。ところで、間仕切壁は、歩道を歩行する歩行者に対する圧迫感を除くため等により、上側部分が透明のパネルになっている。
【発明の開示】
【発明が解決しようとする課題】
【０００３】
ところで、上記した透明のパネルは、車両等の走行に伴って排出される排気ガスや粉塵に常時晒されているため、非常に汚染されやすく、本来の透明状態を維持することは非常に困難であるという問題がある。特に、パネルの汚染は、その外側面（車道側に対面した表面）で顕著である。そして、透明状態を維持するためには、定期的に清掃作業を行なう必要がある。
【０００４】
従来のトンネル用間仕切壁は、パネルが支柱に固定されているため、その内側面（歩道側に対面した面）は歩道側から簡単に清掃することができても、汚染されやすい外側面は歩道側から清掃することができず車道側から清掃しなければならない。これには、大なり小なり交通規制（車線制限等）を必要とするので、交通渋滞を生じるとともに、危険な作業を余儀なくされていた。
【０００５】
本発明は、上記した問題を解決しようとするもので、パネルの清掃作業が歩道側から容易に行なえる構成としたトンネル用間仕切壁を提供することを目的とする。
【課題を解決するための手段】
【０００６】
上記目的を達成するため、本発明は、トンネル内の車道空間と歩道空間とを仕切る間仕切壁であって、間仕切壁の他の部分から分離して歩道側に移動可能であって透明部を有する可動パネルを備えていることを特徴としている。前記可動パネルは、その一辺が回動自在に支承されて歩道側に移動可能とするのが好ましい。具体的には、前記可動パネルは、その下辺が回動自在に支承されて歩道側に傾倒可能とする。所定の間隔を設けて立設された支柱間に複数のパネルが複数段に積み重ねて支持され、その複数のパネルの少なくとも一つが前記可動パネルである構成とすることもできる。
【０００７】
上記構成のトンネル用間仕切壁は、透明部を有する可動パネルを歩道側に傾倒可能としたから、可動パネルを歩道側に傾倒することで、可動パネルの車道側に対面した面を歩道側から清掃することができる。
【０００８】
また、本発明は、前記可動パネルの回動を所定の角度位置で規制するとともにその角度位置で可動パネルを固定する固定具を設けたことを特徴としている。このような構成によれば、可動パネルを歩道側に傾倒した状態で固定することができるので、可動パネルの車道側に対面した面を容易に清掃することができる。
【０００９】
また、本発明は、前記支柱の先端部がトンネルの内壁に取付手段により取付けられ、前記取付手段は、取付位置をトンネルの内壁に対して支柱の長手方向に変更可能に構成されていることを特徴としている。このような構成によれば、トンネルの内壁に進行方向に凸凹が生じている場合でも、その取付位置を変更させることで、支柱の先端部をトンネルの内壁に容易に取付けることが可能である。
【００１０】
また、本発明は、間仕切壁の上端とトンネルの内壁との間の隙間を遮蔽する目かくし部材を設けたことを特徴としている。このような構成によれば、目かくし部材により間仕切壁の上端とトンネルの内壁との間の隙間を遮蔽できるので、この隙間から歩道空間に車道空間から排気ガス等が流れ込むのを防止することができる。
【００１１】
更に、本発明は、光を再帰反射する視線誘導用反射体を、前記可動パネルの車道側の表面に設けたことを特徴としている。前記視線誘導用反射体は、可動パネルの下部に設けられ、かつ、可動パネルの下辺から下方に延びる下方延長部を有していることが好ましい。このような構成によれば、反射体によりパネルとパネルとの間の隙間を遮蔽できるので、この隙間から歩道空間に車道空間から排気ガス等が流れ込むのを防止することができる。
【発明の効果】
【００１２】
本発明のトンネル用間仕切壁は、以上述べたように、透明のパネルの車道側に対面した面を歩道側から容易に清掃できるので、清掃作業を行なう場合、トンネル内の交通規制を不要とし、交通渋滞を防止することができる。
また、本発明のトンネル用間仕切壁は、隙間を遮蔽して歩道空間に車道空間から排気ガス等が流れ込むのを防止できるので、歩道空間を良好な環境に維持することができる。
【発明を実施するための最良の形態】
【００１３】
以下、本発明の一実施形態について図面を参照して説明する。
【００１４】
図１は、自動車道路のトンネルの断面図である。図示の如く、トンネル１は車両が走行する車道２の一側方に段差を設けて歩行者が歩行する歩道３があり、この歩道３の車道側端部に車道空間と歩道空間とを仕切る間仕切壁４が設置されている。
【００１５】
間仕切壁４は、図２及び図３に示すように、歩道３上に垂直に起立させて設けた側面部１０と、この側面部１０上に設けた斜め上方に傾斜する天井部４０とで構成されるものである。尚、図面では、側面部１０上に斜め上方に傾斜して設けた天井部４０を示しているが、側面部１０上に水平方向に設ける天井部もある。
【００１６】
側面部１０は、歩道３上に所定の間隔を隔てて複数の支柱１１を立設し、この支柱１１間に可動パネル１２及び固定パネル１３が上下方向に複数段に積み重ねて取付けられている。
【００１７】
支柱１１は、鉄鋼等を用いた断面四角形状をなす中空型材からなり、歩道３上に適宜の取付手段により垂直に立設固定されている。支柱１１は、隣接する支柱１１と互いに対向する側面に複数のパネル受けプレート１４を上下方向に所定の間隔で取付けており、隣接する支柱１１のパネル受けプレート１４間に可動パネル１２又は固定パネル１３を掛け渡して載置させる。また、支柱１１は、歩道側に対面する面に可動パネル１２及び固定パネル１３の固定用として複数のボルト孔１５を上下方向に所定の間隔で有する。
【００１８】
可動パネル１２は、透視性を有する強化ガラス板や合成樹脂板等を用いた四角形状をなす透明のパネル板１６ａの周囲に支持枠１７を装着して構成され、固定パネル１３は、合成樹脂板等を用いた四角形状をなす不透明のパネル板１６ｂの周囲に支持枠１７を装着して構成されている。支持枠１７は、図４に示すように、左右の縦枠材１８と上下の横枠材２６によって四角形状に枠組みされ、その内周全体に亘って嵌込溝２３を有する。即ち、パネル板１６ａ，１６ｂは、前記嵌込溝２３に周辺を嵌め込むことで支持枠１７に装着されている。
【００１９】
左右の縦枠材１８は、アルミニュウム合金等を用いた中空型材からなり、図５に示すように、角筒形状を有する二つの中空のボックス部１９，２０を左右方向にＬ字状に継ぎ合わせた断面構造を有し、支柱１１の歩道側に対面する面へ当接される一方のボックス部１９の上端部に支柱１１への固定用として支柱１１のボルト孔１５と対応するように貫通孔２１とボルト孔２２とを有し、他方のボックス部２０にパネル板１６ａ，１６ｂの左右の縦辺が嵌め込まれる嵌込溝２３を有する。左右の縦枠材１８は、支柱の歩道側に対面する面へボックス部１９を当接し、ボックス部１９の貫通孔２１からボックス部１９のボルト孔２２と支柱１１のボルト孔１５とにボルト２４を挿通し、このボルト２４へナット２５をねじ込み締め付けることによって支柱１１に分離可能に固定される。これにより、支持枠１７が支柱１１に分離可能に固定され、これによって可動パネル１２及び固定パネル１３が支柱１１に分離可能に固定される。尚、図５中の３２は縦枠材１８のボックス部１９の貫通孔２１に嵌めこまれたボルト２４を隠すためのカバー部材である。
【００２０】
上下の横枠材２６は、アルミニュウム合金等を用いた中空型材からなり、図６に示すように、角筒形状を有する二つの中空のボックス部２７，２８を前後方向に継ぎ合わさせた断面構造を有し、車道側のボックス部２７にパネル板１６ａ，１６ｂの上下の横辺が嵌め込まれる嵌込溝２３を有する。上側の横枠材２６は、歩道側のボックス部２７の後上端に上方に突出する枢軸部２９を有し、下側の横枠材２６は、歩道側のボックス部２７の後下端に内部に湾曲する円弧状の軸受部３０を有し、下方に位置する可動パネル１２又は固定パネル１３の上側の横枠材２６の枢軸部２９と上方に位置する可動パネル１２の下側の横枠材２６の軸受部３０とを互いに近接させることにより、支持枠１７を歩道側に回動可能に支承させる。これにより、可動パネル１２を歩道側に回動可能に支承させる。尚、可動パネル１２は、図８に示すように、歩道側へ所定の角度まで回動すると、固定具３３によりその角度位置で回動が規制されるとともにその角度位置で可動パネル１２が固定される。固定具３３は、例えば中間部で折り畳み可能なリンクの一端を可動パネル１２の支持枠１７の縦枠材１８に枢着し、前記リンクの他端を支柱１１に枢着したものである。
【００２１】
下側の横枠材２６は、車道側のボックス部２８の表面に、下方に位置する可動パネル１２又は固定パネル１３の上側の横枠材２６との間の隙間を遮蔽する目かくし部材としての視線誘導用反射体３１を取付けている。この反射体３１は、下側の横枠材２６の下辺から下方に延びる下方延長部３１ａを有しており、この下方延長部３１ａを下方に位置する可動パネル１２又は固定パネル１３の上側の横枠材２６の車道側の前面下部まで延長させることにより、可動パネル１２と可動パネル１２又は固定パネル１３との間の隙間を遮蔽し、この隙間から歩道空間に車道空間から排気ガス等が流れ込むのを防止する。また、反射体３１は、上記したように下方延長部３１ａによって可動パネル１２と可動パネル１２又は固定パネル１３との間の隙間を遮蔽するだけでなく、ヘッドライト等の光を照射するとその光を再帰反射させることにより、遠くからでも運転者に間仕切壁４の存在を認識させて視線誘導を行う。尚、反射体３１は、上側部分だけを下側の横枠材２６に貼り付けて下方延長部３１ａがフリーであるので、可動パネル１２の回動を妨げることはない。
【００２２】
天井部４０は、側面部１０の支柱１１と対応するように所定の間隔を隔てて複数の支柱４１を並設し、この支柱４１間に複数のパネル板４２が並べて取付けられている。
【００２３】
支柱４１は、アルミニュウム合金等を用いた断面Ｈ型形状を有する型材からなり、傾斜下端が側面部１０の支柱１１の上端に取付けられるとともに、傾斜上端がトンネル１の内壁に取付けられている。支柱４１の傾斜上端は、アンカーボルト４３、Ｌ字アングル４４、ボルト及びナットからなる取付手段により、取付位置をトンネル１の内壁に対して支柱４１の長手方向に変更可能に取付けられている。即ち、図７に示すように、トンネル１の内壁に埋設したアンカーボルト４３にＬ字アングル４４を取付け、このＬ字アングル４４に有するボルト孔４５と支柱４１に有するボルト孔４６にボルト４７を挿通し、このボルト４７へナット４８をねじ込み締め付けることによって、支柱４１の傾斜上端をトンネル１の内壁に取付けている。取付手段は、Ｌ字アングル４４のボルト孔４５又は支柱４１のボルト孔４６のいずれか一方（本実施形態では支柱４１のボルト孔４６）を支柱４１の長手方向に延びる長孔として支柱４１の取付位置をトンネル１の内壁に対して支柱４１の長手方向に変更可能に構成されている。
【００２４】
パネル板４２は、合成樹脂板等を用いて四角形状に形成され、両側辺を隣接する支柱４１の互いに対向する凹溝(図示せず)に遊嵌し、側辺と支柱４１の凹溝の内面との間に係り止めバネ（図示せず）を嵌め込み、この係り止めバネの弾性力により支柱４１に固定させて取付けられている。
【００２５】
天井部４０の上端部とトンネル１の内壁との間には目かくし部材４９が取付けられ、目かくし部材４９により天井部４０の上端とトンネル１の内壁との間の隙間を遮蔽し、その隙間から歩道空間に車道空間から排気ガス等が流れ込むのを防止する。目かくし部材４９は、ポリプロピレン系エラストマ等の軟質合成樹脂を用いてトンネルの進行方向に延びる帯状に形成されたものであり、一端部を天井部４０の上端部に固定し、他端部をトンネル１の内壁に弾性的に当接している。
【００２６】
次に、上記間仕切壁４の清掃要領を説明する。可動パネル１２の透明のパネル板１６ａが汚染した場合、可動パネル１２の支持枠１７のボルト２４を解くことにより、可動パネル１２の支柱１１に対する固定を解除する。次に、可動パネル１２を支持枠１７の下側の横枠材２６の後下端を支点に回動して歩道側へ傾倒させると、この可動パネル１２は固定具３３により回動を規制されるとともにその回動位置で傾倒した状態に固定され、この傾倒した状態で可動パネル１２のパネル板１６ａの外側面（車道側に対面した表面）を清掃する。可動パネル１２のパネル板１６ａの外側面を清掃すると、可動パネル１２を傾倒状態から立ち起こして支持枠１７をボルト２４により支柱１１に固定させることにより可動パネル１２を支柱に１１に固定する。以後、他の可動パネル１２も同じ要領で清掃することにより、間仕切壁４の清掃作業を終了する。
【００２７】
上記間仕切壁４は、透明のパネル板１６ａを有するパネル１２を歩道側に傾倒する可動パネルとしたので、可動パネル１２の透明のパネル板１６ａの外側面を歩道側から容易に清掃することができる。これにより、間仕切壁４の清掃作業を行なう場合でも、トンネル１内の交通規制を不要とし、交通渋滞を防止することができる。
【００２８】
また、上記間仕切壁４は、天井部４０の支柱４１の先端部をトンネル１の内壁に対してその取付位置を支柱４１の長手方向に変更可能に取付けたので、トンネル１の内壁に進行方向に凸凹が生じている場合でも、天井部４０の支柱４１の先端部をトンネル１の内壁に取付けることができる。
【００２９】
また、上記間仕切壁４は、天井部４０の上端とトンネル１の内壁との間に目かくし部材４９を設けて、天井部４０の上端とトンネル１の内壁との間の隙間を遮蔽するようにしたので、天井部４０の上端とトンネル１の内壁との間の隙間から歩道空間に車道空間から排気ガス等が流れ込むのを防止して歩道空間の環境を良好に維持することができる。
【００３０】
また、上記間仕切壁４は、可動パネル１２の下辺に下方延長部３１ａを有する視線誘導用反射体３１を設けて、可動パネル１２と可動パネル１２又は固定パネル１３との間の隙間を視線誘導用反射体３１の下方延長部３１ａにより遮蔽するようにしたので、可動パネル１２と可動パネル１２又は固定パネル１３との間の隙間から歩道空間に車道空間から排気ガス等が流れ込むのを防止して歩道空間の環境を良好に維持することができる。
【００３１】
尚、以上説明した実施形態では、間仕切壁４は、歩道３上に垂直に起立させて設けた側面部１０と、この側面部１０上に斜め上方に傾斜して設けた天井部４０又は側面部１０上に水平方向に設けた天井部とで構成されているが、斜め上方に傾斜して設ける天井部４０又は水平方向に設ける天井部をなくしてしまい、側面部１０をトンネル１の内壁まで垂直に延ばしても構わない。また、上記実施例では、側面部１０の支柱１１間に可動パネル１２及び固定パネル１３が複数段に積み重ねられているが、可動パネル１２を１段に取付けるだけでも構わない。
【図面の簡単な説明】
【００３２】
【図１】トンネルの断面図である。
【図２】本発明の実施形態のトンネル用間仕切壁の車道側から眺めた正面図である。
【図３】図２のトンネル用間仕切壁の側面図である。
【図４】図２のトンネル用間仕切壁を歩道側から眺めた詳細図である。
【図５】図４のＡ−Ａ線における断面図である。
【図６】図４のＢ−Ｂ線における断面図である。
【図７】トンネルの内壁への取付構造を示す詳細図である。
【図８】可動パネルを傾倒させている状態を示す図面である。
【符号の説明】
【００３３】
１…トンネル、２…車道、３…歩道、４…間仕切壁、１０…側面部、１１…支柱、１２…可動パネル、１３…固定パネル、１４…パネル受けプレート、１５…ボルト孔、１６ａ…パネル板、１６ｂ…パネル板、１７…支持枠、１８…縦枠材、１９…ボックス部、２０…ボックス部、２１…貫通孔、２２…ボルト孔、２３…嵌込溝、２４…ボルト、２５…ナット、２６…横枠材、２７…ボックス部、２８…ボックス部、２９…枢軸部、３０…軸受部、３１…視線誘導用反射体、３２…カバー部材、３３…固定具、４０…天井部、４１…支柱、４２…パネル板、４３…アンカーボルト、４４…Ｌ字アングル、４５…ボルト孔、４６…ボルト孔、４７…ボルト、４８…ナット、４９…目かくし部材
【図１】
2006089926.tif 000003
【図２】
2006089926.tif 000004
【図３】
2006089926.tif 000005
【図４】
2006089926.tif 000006
【図５】
2006089926.tif 000007
【図６】
2006089926.tif 000008
【図７】
2006089926.tif 000009
【図８】
2006089926.tif 000010